(57)【要約】【課題】スイッチ操作子およびスイッチケース間に、スイッチ操作子を中立位置および戻し位置側に付勢する弾発付勢手段が設けられる車両用ターンシグナルスイッチにおいて、スイッチ操作子の押し込み・戻り移動方向での長さを短縮可能とする。【解決手段】弾発付勢手段３２は、スイッチ操作子２６に設けられたピン４７を当接せしめるガイド凹部４８を一端に有してスイッチケース２５にスライド可能に支承されるリターンプレート４５と、ガイド凹部４８にピン４７を当接させる側にリターンプレート４５を付勢するばね力を発揮する一対の戻しばね４６とを備え、ガイド凹部４８は、谷部５０の両側に戻しカム面５１，５２を有して略三角形状に凹んで形成され、両戻しばね４６は、谷部５０の両側でリターンプレート４５およびスイッチケース２５間に設けられる。【選択図】        図５
2007324051.tif 000002
【特許請求の範囲】
【請求項１】
スイッチケース（２５）に設けられる枢軸（２９）に、前記スイッチケース（２５）内に一部を突入せしめたスイッチ操作子（２６）が、前記枢軸（２９）の軸線に直交する方向で相互に離隔して設定される戻し位置および押し込み位置間での押し込み・戻り移動を可能とするとともに、前記戻し位置では前記枢軸（２９）の軸線まわりに中立位置と該中立位置の両側の左折表示位置および右折表示位置との間で揺動することを可能として支承され、スイッチケース（２５）および前記スイッチ操作子（２６）間に、前記スイッチ操作子（２６）を前記中立位置および前記戻し位置側に付勢する弾発付勢手段（３２）が設けられ、前記戻し位置での前記左折または右折表示位置への前記スイッチ操作子（２６）の揺動に応じて左折または右折表示回路を閉成するとともに前記戻し位置から前記押し込み位置への前記スイッチ操作子（２６）の移動に応じて前記左折または右折表示回路を開成するスイッチ機構（４４）が前記スイッチ操作子（２６）に連動、連結される車両用ターンシグナルスイッチにおいて、前記弾発付勢手段（３２）は、前記スイッチ操作子（２６）に設けられたピン（４７）を当接せしめるガイド凹部（４８）を一端に有するとともに前記スイッチ操作子（２６）の押し込み・戻り移動方向と平行な方向にスライドすることを可能として前記スイッチケース（２５）に支承されるリターンプレート（４５）と、前記ガイド凹部（４８）に前記ピン（４７）を当接させる側に前記リターンプレート（４５）を付勢するばね力を発揮して該リターンプレート（４５）および前記スイッチケース（２５）間に設けられる一対の戻しばね（４６）とを備え、前記ガイド凹部（４８）は、前記スイッチ操作子（２６）が中立位置にある状態で前記ピン（４７）を当接させる谷部（５０）の両側に前記スイッチ操作子（２６）の前記左折および右折表示位置への揺動に応じて前記ピン（４７）を当接させるように傾斜した戻しカム面（５１，５２）を有して略三角形状に凹んで形成され、前記両戻しばね（４６）は、前記谷部（５０）の両側で前記リターンプレート（４５）および前記スイッチケース（２５）間に設けられることを特徴とする車両用ターンシグナルスイッチ。
【請求項２】
前記スイッチ機構（４４）が、複数の固定接点（６５〜７０）を有して前記スイッチケース（２５）内に固定配置される固定接点ベース（３０）と、複数の可動接点（７３〜７７）を有するとともに前記スイッチ操作子（２６）の揺動に応じて前記複数の固定接点（６５〜７０）への前記可動接点（７３〜７７）の接触・導通状態を変化させるようにして前記固定接点ベース（３０）に対向配置される可動接点ホルダ（３１）とを備え、該可動接点ホルダ（３１）に、少なくとも前記左折および右折表示回路のいずれもが開成状態にあるときには可動接点ホルダ（３１）および前記固定接点ベース（３０）の対向面間を上方から覆うカバー部（３１ａ）が一体に設けられることを特徴とする請求項１記載の車両用ターンシグナルスイッチ。
【請求項３】
スイッチケース（２５）に設けられる枢軸（２９）に、前記スイッチケース（２５）内に一部を突入せしめたスイッチ操作子（２６）が、前記枢軸（２９）の軸線に直交する方向で相互に離隔して設定される戻し位置および押し込み位置間での押し込み・戻り移動を可能とするとともに、前記戻し位置では前記枢軸（２９）の軸線まわりに中立位置と該中立位置の両側の左折表示位置および右折表示位置との間で揺動することを可能として支承され、スイッチケース（２５）および前記スイッチ操作子（２６）間に、前記スイッチ操作子（２６）を前記中立位置および前記戻し位置側に付勢する弾発付勢手段（３２）が設けられ、前記戻し位置での前記左折または右折表示位置への前記スイッチ操作子（２６）の揺動に応じて左折または右折表示回路を閉成するとともに前記戻し位置から前記押し込み位置への前記スイッチ操作子（２６）の移動に応じて前記左折または右折表示回路を開成するスイッチ機構（４４）が前記スイッチ操作子（２６）に連動、連結される車両用ターンシグナルスイッチにおいて、前記弾発付勢手段（３２）および前記スイッチ機構（４４）が、前記スイッチ操作子（２６）を相互間に挟んで前記スイッチケース（２５）内に配設されることを特徴とする車両用ターンシグナルスイッチ。
【請求項４】
前記スイッチ操作子（２６）に、該スイッチ操作子（２６）の一面から突出する第１ピン（４７）と、第１ピン（４７）よりも前記枢軸（２９）から離隔した位置で前記スイッチ操作子（２６）の他面から突出する第２ピン（８８）とが設けられ、前記弾発付勢手段が第１ピン（４７）に前記中立位置および前記戻し位置側に付勢する弾発力を付与するようにして前記スイッチ操作子（２６）の一側に配置され、複数の可動接点（７３〜７７）を有して前記スイッチ機構（４４）の一部を構成する可動接点ホルダ（３１）が、前記スイッチ操作子（２６）の揺動に応じてが前記中立位置ならびにその両側の左折表示位置および右折表示位置間でスライドするようにして第２ピン（８８）に連動、連結されることを特徴とする請求項３記載の車両用ターンシグナルスイッチ。
【発明の詳細な説明】
【技術分野】
【０００１】
本発明は、車両用ターンシグナルスイッチに関し、特に、スイッチケースに設けられる枢軸に、前記スイッチケース内に一部を突入せしめたスイッチ操作子が、前記枢軸の軸線に直交する方向で相互に離隔して設定される戻し位置および押し込み位置間での押し込み・戻り移動を可能とするとともに、前記戻し位置では前記枢軸の軸線まわりに中立位置と該中立位置の両側の左折表示位置および右折表示位置との間で揺動することを可能として支承され、スイッチケースおよび前記スイッチ操作子間に、前記スイッチ操作子を前記中立位置および前記戻し位置側に付勢する弾発付勢手段が設けられ、前記戻し位置での前記左折または右折表示位置への前記スイッチ操作子の揺動に応じて左折または右折表示回路を閉成するとともに前記戻し位置から前記押し込み位置への前記スイッチ操作子の移動に応じて前記左折または右折表示回路を開成するスイッチ機構が前記スイッチ操作子に連動、連結される車両用ターンシグナルスイッチに関する。
【背景技術】
【０００２】
このような車両用ターンシグナルスイッチは、たとえば特許文献１により既に知られており、このものでは、スイッチ操作子のスイッチケースへの突入端に、谷部およびその両側の戻しカム面から成る略三角形状のガイド凹部が設けられており、ガイド凹部に当接し得る鋼球およびスイッチケース間に単一の戻しばねが設けられ、その戻しばねが前記鋼球を前記谷部に当接、係合させるように弾発力を発揮することにより、スイッチ操作子が中立位置および戻し位置側に付勢されている。
【特許文献１】実公平２−３６１９４号公報
【発明の開示】
【発明が解決しようとする課題】
【０００３】
ところが、上記従来のものでは、スイッチ操作子と、該スイッチ操作子およびスイッチケース間に設けられる戻しばねとが、スイッチ操作子の押し込み・戻り移動方向に直列に接続されることになり、前記押し込み・戻り移動方向でのスイッチ全体の長さが比較的長くなる。
【０００４】
本発明は、かかる事情に鑑みてなされたものであり、スイッチ操作子の押し込み・戻り移動方向での長さを短縮可能とした車両用ターンシグナルスイッチを提供することを目的とする。
【課題を解決するための手段】
【０００５】
上記目的を達成するために、請求項１記載の発明は、スイッチケースに設けられる枢軸に、前記スイッチケース内に一部を突入せしめたスイッチ操作子が、前記枢軸の軸線に直交する方向で相互に離隔して設定される戻し位置および押し込み位置間での押し込み・戻り移動を可能とするとともに、前記戻し位置では前記枢軸の軸線まわりに中立位置と該中立位置の両側の左折表示位置および右折表示位置との間で揺動することを可能として支承され、スイッチケースおよび前記スイッチ操作子間に、前記スイッチ操作子を前記中立位置および前記戻し位置側に付勢する弾発付勢手段が設けられ、前記戻し位置での前記左折または右折表示位置への前記スイッチ操作子の揺動に応じて左折または右折表示回路を閉成するとともに前記戻し位置から前記押し込み位置への前記スイッチ操作子の移動に応じて前記左折または右折表示回路を開成するスイッチ機構が前記スイッチ操作子に連動、連結される車両用ターンシグナルスイッチにおいて、前記弾発付勢手段は、前記スイッチ操作子に設けられたピンを当接せしめるガイド凹部を一端に有するとともに前記スイッチ操作子の押し込み・戻り移動方向と平行な方向にスライドすることを可能として前記スイッチケースに支承されるリターンプレートと、前記ガイド凹部に前記ピンを当接させる側に前記リターンプレートを付勢するばね力を発揮して該リターンプレートおよび前記スイッチケース間に設けられる一対の戻しばねとを備え、前記ガイド凹部は、前記スイッチ操作子が中立位置にある状態で前記ピンを当接させる谷部の両側に前記スイッチ操作子の前記左折および右折表示位置への揺動に応じて前記ピンを当接させるように傾斜した戻しカム面を有して略三角形状に凹んで形成され、前記両戻しばねは、前記谷部の両側で前記リターンプレートおよび前記スイッチケース間に設けられることを特徴とする。
【０００６】
また請求項２記載の発明は、請求項１記載の発明の構成に加えて、複数の固定接点を有する固定接点ベースが前記スイッチケース内に固定配置され、複数の可動接点を有する可動接点ホルダが、前記スイッチ操作子の揺動に応じて前記複数の固定接点への前記可動接点の接触・導通状態を変化させるようにして前記固定接点ベースに対向配置され、該可動接点ホルダに、少なくとも前記左折および右折表示回路のいずれもが開成状態にあるときには可動接点ホルダおよび前記固定接点ベースの対向面間を上方から覆うカバー部が一体に設けられることを特徴とする。
【０００７】
請求項３記載の発明は、スイッチケースに設けられる枢軸に、前記スイッチケース内に一部を突入せしめたスイッチ操作子が、前記枢軸の軸線に直交する方向で相互に離隔して設定される戻し位置および押し込み位置間での押し込み・戻り移動を可能とするとともに、前記戻し位置では前記枢軸の軸線まわりに中立位置と該中立位置の両側の左折表示位置および右折表示位置との間で揺動することを可能として支承され、スイッチケースおよび前記スイッチ操作子間に、前記スイッチ操作子を前記中立位置および前記戻し位置側に付勢する弾発付勢手段が設けられ、前記戻し位置での前記左折または右折表示位置への前記スイッチ操作子の揺動に応じて左折または右折表示回路を閉成するとともに前記戻し位置から前記押し込み位置への前記スイッチ操作子の移動に応じて前記左折または右折表示回路を開成するスイッチ機構が前記スイッチ操作子に連動、連結される車両用ターンシグナルスイッチにおいて、前記弾発付勢手段および前記スイッチ機構が、前記スイッチ操作子を相互間に挟んで前記スイッチケース内に配設されることを特徴とする。
【０００８】
さらに請求項４記載の発明は、請求項３記載の発明の構成に加えて、前記スイッチ操作子に、該スイッチ操作子の一面から突出する第１ピンと、第１ピンよりも前記枢軸から離隔した位置で前記スイッチ操作子の他面から突出する第２ピンとが設けられ、前記弾発付勢手段が第１ピンに前記中立位置および前記戻し位置側に付勢する弾発力を付与するようにして前記スイッチ操作子の一側に配置され、複数の可動接点を有して前記スイッチ機構の一部を構成する可動接点ホルダが、前記スイッチ操作子の揺動に応じてが前記中立位置ならびにその両側の左折表示位置および右折表示位置間でスライドするようにして第２ピンに連動、連結されることを特徴とする。
【発明の効果】
【０００９】
請求項１記載の発明によれば、リターンプレートおよびスイッチケース間に設けられる一対の戻しばねは、スイッチ操作子の中立位置では該スイッチ操作子に設けられたピンをガイド凹部の谷部に当接させ、スイッチ操作子が左折または右折表示位置に揺動したときには前記谷部の両側の戻しカム面の一方に当接した前記ピンを谷部に戻す側すなわちスイッチ操作子を中立位置側に戻す側に付勢するばね力を発揮し、スイッチ操作子を押し込み位置に押し込んだときには戻し位置側に付勢するばね力を発揮する。而してリターンプレートおよび一対の戻しばねは、スイッチ操作子に並列配置されるので、該スイッチ操作子の押し込み・戻り方向でのスイッチ全体の長さを短縮することができる。しかも一対の戻しばねが、スイッチ操作子を中立位置側に戻すように両側からばね力を発揮するので、スイッチ操作子の操作時に該スイッチ操作子がふらつくことを抑え、操作フィーリングを高めることができる。
【００１０】
また請求項２記載の発明によれば、可動接点ホルダに一体に設けられるカバー部で、少なくとも左折および右折表示回路のいずれもが開成状態にあるときに可動接点ホルダおよび固定接点ベースの対向面間が上方から覆われる。而して左折および右折表示回路のいずれもが開成状態にあるとき、すなわち少なくとも左折および右折表示操作のいずれの操作も実行しない状態で、可動接点ホルダおよび固定接点ベースの対向面間を上方から覆うことによって、可動接点ホルダおよび固定接点ベースの対向面間に雨水等が上方から浸入することを防止することができる。
【００１１】
請求項３記載の発明によれば、弾発付勢手段およびスイッチ機構がスイッチ操作子の両側に配置されるので、該スイッチ操作子の押し込み・戻り方向でのターンシグナルスイッチ全体の長さを短縮することができる。しかも弾発付勢手段およびスイッチ機構がスイッチ操作子のいずれの側に配置するかによってスイッチ操作子の位置を変化させることができ、スイッチ操作子の操作部の配置上の自由度を増大することができる。
【００１２】
さらに請求項４記載の発明によれば、スイッチ機構の可動接点ホルダに連動、連結される第２ピンおよび枢軸間の距離を比較的大きくし、スイッチ操作子の揺動に伴う可動接点ホルダのスライド量を比較的大きくしてスイッチ機構の接点間絶縁距離を充分に確保することができ、また枢軸との間の距離を比較的小さくした第１ピンに弾発付勢手段からの弾発付勢力を作用せしめるようにして、押し込み・戻り方向で弾発付勢手段に必要とされるスペースを小さくし、ターンシグナルスイッチの小型化を図ることができるとともに操作荷重の設定の自由度を高めることができる。
【発明を実施するための最良の形態】
【００１３】
以下、本発明の実施の形態を、添付の図面に示した本発明の一実施例に基づいて説明する。
【００１４】
図１〜図１２は本発明の一実施例を示すものであり、図１は自動二輪車の操向用バーハンドルの一部を後方から見た一部切欠き正面図、図２は図１の２−２線拡大断面図、図３はスイッチ操作子が中立位置にある状態での図１の３−３線拡大断面図、図４はターンシグナルスイッチの分解斜視図、図５は図３の５−５線拡大断面図、図６は図３の６−６線拡大断面図、図７は図３の７−７線拡大断面図、図８は図３の８−８線拡大断面図、図９はスイッチ操作子を右折表示位置に操作したときの図６に対応した図、図１０はスイッチ操作子を右折表示位置に操作したときの図７に対応した図、図１１は右折表示位置に操作したあとでスイッチ操作子への操作力入力を止めた状態での図７に対応した図、図１２はスイッチ操作子を押し込み位置に押し込んだ状態での図７に対応した図である。
【００１５】
先ず図１において、たとえば自動二輪車の操向用バーハンドル１５の左端部にはライダーが左手で握るためのグリップ１６が装着されており、該グリップ１６に内方側で隣接する位置で前記操向用バーハンドル１５には、合成樹脂から成るスイッチカバー１７が取付けられる。
【００１６】
図２および図３を併せて参照して、前記スイッチカバー１７は、操向用バーハンドル１５を前方側斜め下方から覆う第１カバー半体１８と、前記操向用バーハンドル１５を後方側斜め上方から覆う第２カバー半体１９とが相互に結合されて成るものであり、操向用バーハンドル１５を貫通せしめる端壁を両端に有して略円筒形に形成される。而して第１カバー半体１８には、操向用バーハンドル１５の前方側斜め下方から該操向用バーハンドル１５の略半部外周に位置決め、当接される金属製の取付け部材２０が複数たとえば一対のねじ部材２１，２１で取付けられる。また第２カバー半体１９には、第１カバー半体１８に当接する複数たとえば一対の取付け脚部２２…が設けられており、第１カバー半体１８に挿通されるねじ部材２３，２３を前記取付け脚部２２…に螺合して締めつけることにより、第１および第２カバー半体１８，１９が相互に締結されてスイッチカバー１７が構成されるとともに、該スイッチカバー１７が操向用バーハンドル１５に取付けられることになる。
【００１７】
前記スイッチカバー１７内には、ターンシグナルスイッチ２４のスイッチケース２５が収容、固定されており、該ターンシグナルスイッチ２４が備えるスイッチ操作子２６が、前記第２カバー半体１９の後方側下部に設けられて前方側に凹んだ凹部１９ａから後方に突出され、前記スイッチ操作子２６の突出端部にノブ２７が装着される。
【００１８】
図４〜図８において、前記ターンシグナルスイッチ２４は、スイッチカバー１７における第１カバー半体１８に複数たとえば一対のねじ部材２８，２８で締結される合成樹脂製のスイッチケース２５と、該スイッチケース２５に設けられる枢軸２９に支承される前記スイッチ操作子２６と、スイッチケース２５およびスイッチ操作子２６間に設けられる弾発付勢手段３２と、前記スイッチ操作子２６の操作に応じてスイッチング態様を変化させるスイッチ機構４４とを備える。
【００１９】
前記スイッチケース２５は、前記スイッチカバー１７内に収容されるものであり、該スイッチカバー１７内で前記操向用バーハンドル１５の長手方向に間隔をあけて相互に対向して上下に延びる第１および第２側壁部２５ａ，２５ｂと、第１および第２側壁部２５ａ，２５ｂの前端上部間を直角に結んで上下に延びる前壁部２５ｃと、第１および第２側壁部２５ａ，２５ｂの後側下部間を直角に結ぶ架橋部２５ｄとを一体に備え、第１側壁部２５ａの上部および下部に設けられた取付け部３３，３４が、第１カバー半体１８に設けられた支持部３５，３６にそれぞれねじ部材２８，２８によって締結される。
【００２０】
前記枢軸２９は、前記スイッチケース２５における架橋部２５ｄの中央部下面から下方に突出される。しかも前記架橋部２５ｄの中央部上面には前記枢軸２９に同軸に連なる取付けボス部３７が上方に延びるようにして一体に突設されており、枢軸２９の先端側に開口したねじ孔３８が、前記枢軸２９から架橋部２５ｄを経て取付けボス部３７に至るように穿設される。
【００２１】
前記スイッチ操作子２６は、金属板材から成るものであり、前記架橋部２５ｄの下面に摺接させるようにして一部が前記スイッチケース２５内に突入される。しかもスイッチ操作子２６には、前記枢軸２９を挿通せしめる長孔３９が設けられており、前記架橋部２５ｄとの間にスイッチ操作子２６を挟むワッシャ４０が前記枢軸２９の先端に当接され、該ワッシャ４０に挿通されるねじ部材４１が前記ねじ孔３８に螺合される。
【００２２】
而してスイッチ操作子２６は、枢軸２９の軸線に直交する方向で相互に離隔して設定される戻し位置（図４〜図８で示す位置）および押し込み位置（図１２で示す位置）間での押し込み・戻り移動を可能とするとともに、前記戻し位置では前記枢軸２９の軸線まわりに中立位置と該中立位置の両側の左折表示位置および右折表示位置との間で揺動することを可能として前記枢軸２９に支承される。
【００２３】
前記弾発付勢手段３２は、スイッチ操作子２６を前記中立位置および前記戻し位置側に付勢するものであり、前記スイッチケース２５に支承されるリターンプレート４５と、該リターンプレート４５および前記スイッチケース２５間に設けられる一対の戻しばね４６，４６とを備える。前記リターンプレート４５は、前記架橋部２５ｄとは反対側の一面から突出するようにして前記スイッチ操作子２６に設けられた第１ピン４７を当接せしめるガイド凹部４８を一端に有するものであり、前記スイッチ操作子２６の押し込み・戻り移動方向４９と平行な方向にスライドすることを可能として前記スイッチケース２５に支承される。また前記両戻しばね４６…は、前記ガイド凹部４８に第１ピン４７を当接させる側に前記リターンプレート４５を付勢するばね力を発揮して該リターンプレート４５および前記スイッチケース２５間に設けられる。
【００２４】
前記リターンプレート４５は、前記押し込み・戻り方向４９に長く延びるプレート主部４５ａと、該プレート主部４５ａの一端から両側に突出する一対の腕部４５ｂ，４５ｂとを一体に有するように形成される。しかも前記ガイド凹部４８は、前記スイッチ操作子２６が中立位置にある状態で第１ピン４７を当接させる谷部５０と、スイッチ操作子２６の左折および右折表示位置への揺動に応じて第１ピン４７を当接させるように傾斜して前記谷部５０の両側に配置される一対の戻しカム面５１，５２とを有して、略三角形状に凹むように形成されるものであり、リターンプレート４５は全体として略Ｙ字状に形成される。
【００２５】
前記リターンプレート４５におけるプレート主部４５ａの他端両側には第１ガイド突部５３，５３がそれぞれ突設されており、それらの第１ガイド突部５３…をスライド可能に嵌合せしめるガイド溝５４，５４が、リターンプレート４５の両側でスイッチケース２５に設けられる。また前記リターンプレート４５における両腕部４５ｂ…の外端部には第２ガイド突部５５，５５がそれぞれ突設されており、スイッチケース２５の第１および第２側壁部２５ａ，２５ｂには第２ガイド突部５５…をスライド可能に嵌合せしめるガイド孔５６，５６がそれぞれ設けられる。而して前記ガイド溝５４…および前記ガイド孔５６…は、前記押し込み・戻り移動方向４９に沿って長く延びるように形成されるものであり、リターンプレート４５は、スイッチ操作子２６の押し込み・戻り移動方向４９と平行な方向にスライドすることを可能としてスイッチケース２５に支承されることになる。
【００２６】
戻しばね４６…は、前記谷部５０の両側で前記リターンプレート４５および前記スイッチケース２５間に設けられるコイルばねであり、前記リターンプレート４５における両腕部４５ｂ…と、スイッチケース２５との間に縮設される。而して前記ガイド溝５４…の外側で前記スイッチケース２５には、前壁部２５ｃとは反対側に開放した横断面略Ｕ字状のばね収容部５７，５７がそれぞれ設けられ、前記リターンプレート４５の両腕部４５ｂ…にはばね収容部５７…側に向けて突出する突部５８，５８がそれぞれ突設されており、前記戻しばね４６…の一端部は前記突部５８…を囲繞して前記腕部４５ｂ…に当接され、前記ばね収容部５７…内に収容された前記戻しばね４６…の他端は前壁部２５ｃで受けられる。
【００２７】
このような弾発付勢手段３２によれば、スイッチ操作子２６が中立位置にある状態では図５で示すように第１ピン４７をガイド凹部４８の谷部５０に当接させるように両戻しばね４６…がばね力を発揮する。また図９で示すようにスイッチ操作子２６が左折表示位置に揺動したときには前記谷部５０の両側の戻しカム面５１，５２の一方５１に第１ピン４７が当接するのであるが、その戻しカム面５１が傾斜面であることから両戻しばね４６…が発揮するばね力は、第１ピン４７を谷部５０に戻す側すなわちスイッチ操作子２６を中立位置側に戻す側にリターンプレート４５を介して第１ピン４７に作用し、スイッチ操作子２６への操作力入力を止めると図１１で示すように、スイッチ操作子２６が中立位置に戻ることになる。さらにスイッチ操作子２６が右折表示位置に揺動したときには前記谷部５０の両側の戻しカム面５１，５２の他方５２に第１ピン４７が当接するのであるが、その戻しカム面５２が傾斜面であることから両戻しばね４６…が発揮するばね力は、第１ピン４７を谷部５０に戻す側にリターンプレート４５を介して第１ピン４７に作用し、スイッチ操作子２６への操作力入力を止めるとスイッチ操作子２６が中立位置に戻ることになる。
【００２８】
またスイッチ操作子２６を図１２で示すように押し込み位置に押し込んだときには弾発付勢手段３２は第１ピン４７を介してスイッチ操作子２６に戻し位置側に付勢するばね力を作用せしめることになる。
【００２９】
前記スイッチ機構４４は、複数の第１〜第６固定接点６５〜７０を有してスイッチケース２５に固定される合成樹脂製の固定接点ベース３０と、複数の第１〜第５可動接点７３〜７７を有して前記固定接点ベース３０に対向するとともに前記スイッチ操作子２６の操作に応じてスライド作動する可動接点ホルダ３１とを備え、前記弾発付勢手段３２との間に前記スイッチ操作子２６を挟むようにしてスイッチケース２５内に配設される。
【００３０】
図７および図８に注目して、固定接点ベース３０は、スイッチケース２５の前壁部２５ｃとの間に間隔をあけた位置に配置されるものであり、該固定接点ベース３０の両側に一体に突設された第１および第２係合突部５９，６０を、スイッチケース２５における第１および第２側壁部２５ａ，２５ｂに設けられた第１および第２係止孔６１，６２にそれぞれ弾発係合することにより、スイッチケース２５に固定される。また第１係止孔６１に隣接した位置で第１側壁部２５ａには、第１係止孔６１への第１係合突部５９の弾発係合時に第１側壁部２５ａを撓ませることを可能とするためのスリット６３が、押し込み・戻り移動方向４９に沿って長く延びるとともに第２側壁部２５ｂの後端に開口するようにして設けられる。さらに第１係合突部５９に隣接した位置で固定接点ベース３０には、前記スリット６３に嵌合する位置決め突部６４が突設されており、該位置決め突部６４のスリット６３への嵌合により、固定接点ベース３０のスイッチケース２５への誤組を防止することができる。
【００３１】
この固定接点ベース３０の前面側すなわちスイッチケース２５の前壁部２５ｃ側には、左右方向に長く延びて左右方向に並ぶ第１および第２固定接点６５，６６と、第１および第２固定接点６５，６６の下方で左右方向に長く延びる第３固定接点６７と、第３固定接点６７の下方で左右方向に並ぶ第４、第５および第６接点６８，６９，７０とが設けられる。
【００３２】
一方、可動接点ホルダ３１は、スイッチケース２５の前壁部２５ｃおよび前記固定接点ベース３０間に配置されるものであり、該可動接点ホルダ３１の前記固定接点ベース３０への対向面には、第１〜第３固定接点６５〜６７に対応した第１接点板７１と、第４〜第６固定接点６８〜７０に対応した第２接点板７２とが配置される。しかも第１接点板７１には、第１および第２固定接点６５，６６にそれぞれ接触、導通し得る第１および第２可動接点７３，７４と、第３固定接点６７に常時接触、導通する第３可動接点７５とが突設され、第２接点板７２には、第４および第５固定接点６８，６９に接触可能な第４可動接点７６と、第５および第６固定接点６９，７０に接触可能な第５可動接点７７とが突設される。
【００３３】
しかも可動接点ホルダ３１と、第１および第２接点板７１，７２間には、それらの接点板７１，７２を固定接点ベース３０側に付勢するばね７８，７９がそれぞれ設けられ、第１および第２接点板７１，７２は可動接点ホルダ３１に浮動支持される。
【００３４】
前記可動接点ホルダ３１は、前記スイッチ操作子２６の揺動に応じて前記複数の固定接点６５〜７０への前記可動接点７３〜７７の接触・導通状態を変化させるようにして前記固定接点ベース３０およびスイッチケース２５の前壁部２５ｃ間に支承され、スイッチケース２５の第１および第２側壁部２５ａ，２５ｂ間でスライド可能である。
【００３５】
図６に注目して、スイッチ操作子２６のスイッチケース２５への突入端部には第２ピン８８が設けられており、この第２ピン８８は、第１ピン４７よりも枢軸２９から離隔した位置でスイッチ操作子２６の可動接点ホルダ３１側の他面から突出するようにしてスイッチ操作子２６に設けられる。またスイッチ操作子２６が戻し位置にあるときに第２ピン８８の両側に位置する第１および第２当接面８９，９０が、スイッチ操作子２６の押し込み・戻り方向４９に沿って相互に平行に延びるようにして可動接点ホルダ３１に設けられる。而して左折および右折表示のいずれの表示もしていない状態でスイッチ操作子２６が戻し位置かつ中立位置にある状態で、第１および第２当接面８９，９０は第２ピン８８から等距離にあり、この状態からスイッチ操作子２６を左折表示位置に揺動操作すると、第２ピン８８は第１当接面８９に当接し、図９および図１０で示すように、可動接点ホルダ３１をスイッチケース２５の第１側壁部２５ａに当接させる左折表示位置までスライドせしめることになり、この状態でスイッチ操作子２６が図１１で示すように中立位置に戻ったときには、第２ピン８８は、可動接点ホルダ３１に押圧力を及ぼさないようにして第２当接面９０に当接もしくは近接する。
【００３６】
また左折および右折表示のいずれの表示もしていない状態でスイッチ操作子２６が戻し位置かつ中立位置にある状態からスイッチ操作子２６を右折表示位置に揺動操作すると、第２ピン８８は第２当接面９０に当接し、可動接点ホルダ３１をスイッチケース２５の第２側壁部２５ｂに当接させる右折表示位置までスライドせしめることになり、この状態でスイッチ操作子２６が中立位置に戻ったときには、第２ピン８８は、可動接点ホルダ３１に押圧力を及ぼさないようにして第１当接面８９に当接もしくは近接する。
【００３７】
さらに可動接点ホルダ３１には、第１当接面８９に連なる第１カム面９１と、第２当接面９０に連なる第２カム面９２とが、スイッチ操作子２６が押し込み位置にある状態で第２ピン８８に当接し得るようにして設けられており、第１および第２カム面９１，９２は、スイッチケース２５の前壁部２５ｃに近接するにつれて相互に近接するように傾斜して形成される。
【００３８】
而して可動接点ホルダ３１が左折表示位置にある状態でスイッチ操作子２６を押し込み位置まで押し込むと、第２ピン８８は第２カム面９２に当接し、第２カム面９２に摺接するようにして押し込み位置まで移動することになり、それにより可動接点ホルダ３１は図１２で示すように中立位置まで戻ることになる。また可動接点ホルダ３１が右折表示位置にある状態でスイッチ操作子２６を押し込み位置まで押し込むと、第２ピン８８は第１カム面９１に当接し、第１カム面９１に摺接するようにして押し込み位置まで移動することになり、それにより可動接点ホルダ３１は中立位置まで戻ることになる。
【００３９】
図７で明示するように、前壁部２５ｃおよび可動接点ホルダ３１間には、前記スイッチ操作子２６の揺動に応じて変化する前記可動接点ホルダ３１の位置を保持するクリック機構８０が設けられる。
【００４０】
このクリック機構８０は、スイッチケース２５の前壁部２５ｃ側に開放して可動接点ホルダ３１に設けられる有底の収容孔８６に大部分を収容せしめた鋼球８１と、該鋼球８１を前記前壁部２５ｃ側に付勢するばね力を発揮して前記収容孔８６の閉塞端および鋼球８１間に設けられるクリックばね８２と、スイッチ操作子２６が中立位置にあるのに応じて可動接点ホルダ３１が中立位置にあるときに前記鋼球８１の一部を係合せしめるようにしてスイッチケース２５の前壁部２５ｃに設けられる中立位置保持用凹部８３と、スイッチ操作子２６が左折表示位置に揺動するのに応じて可動接点ホルダ３１が左折表示位置に移動したときに前記鋼球８１の一部を係合せしめるようにして前記前壁部２５ｃに設けられる左折表示位置保持用凹部８４と、スイッチ操作子２６が右折表示位置に揺動するのに応じて可動接点ホルダ３１が右折表示位置に移動したときに前記鋼球８１の一部を係合せしめるようにして前記前壁部２５ｃに設けられる右折表示位置保持用凹部８５とで構成される。
【００４１】
而して可動接点ホルダ３１が中立位置にあるときには、図８で示すように、第１および第２可動接点７３，７４は第１および第２固定接点６５，６６に接触、導通し、第３可動接点７５は第３固定接点６７に接触、導通し、第４および第５可動接点７６，７７は第４〜第６固定接点６８〜７０のいずれとも接触、導通していない状態にあり、この状態では、図示しない左折表示回路および右折表示回路のいずれも開成状態にある。
【００４２】
また可動接点ホルダ３１が左折表示位置に移動したときには、第１および第３可動接点７３，７５が第１および第３個別接点６５，６７に接触、導通状態にあるのに対して、第２可動接点７４は第２個別接点６６との接触、導通を解除した位置に移動し、第４および第５可動接点７６，７７が第４および第５固定接点６８，６９に個別に接触、導通した状態にあり、この状態では前記左折表示回路が閉成状態となる。
【００４３】
また可動接点ホルダ３１が右折表示位置に移動したときには、第２および第３可動接点７４，７５が第２および第３個別接点６６，６７に接触、導通状態にあるのに対して、第１可動接点７３は第１個別接点６５との接触、導通を解除した位置に移動し、第４および第５可動接点７６，７７が第５および第６固定接点６９，７０に個別に接触、導通した状態にあり、この状態では前記右折表示回路が閉成状態となる。
【００４４】
さらに可動接点ホルダ３１には、少なくとも左折および右折表示回路のいずれもが開成状態にあるときに可動接点ホルダ３１および固定接点ベース３０の対向面間を上方から覆うカバー部３１ａが一体に設けられるものであり、この実施例で前記カバー部３１ａは、左折および右折表示回路のいずれもが開成状態にあるとき、すなわち可動接点ホルダ３１が中立位置にあるときには、図８で明示するように、可動接点ホルダ３１および固定接点ベース３０の対向面間を上方から覆うように形成されており、この状態でカバー部３１ａの周縁部は、スイッチケース２５における第１側壁部２５ａ、第２側壁部２５ｂおよび前壁部２５ｃの上端にスライド可能に接触している。
【００４５】
次にこの実施例の作用について説明すると、スイッチケース２５およびスイッチ操作子２６間に設けられてスイッチ操作子２６を中立位置および戻し位置側に付勢する弾発付勢手段３２は、スイッチ操作子２６に設けられた第１ピン４７を当接せしめるガイド凹部４８を一端に有するとともにスイッチ操作子２６の押し込み・戻り移動方向４９と平行な方向にスライドすることを可能としてスイッチケース２５に支承されるリターンプレート４５と、ガイド凹部４８に第１ピン４７を当接させる側にリターンプレート４５を付勢するばね力を発揮して該リターンプレート４５およびスイッチケース２５間に設けられる一対の戻しばね４６，４６とを備えるものであり、ガイド凹部４８は、スイッチ操作子２６が中立位置にある状態で第１ピン４７を当接させる谷部５０の両側にスイッチ操作子２６の左折および右折表示位置への揺動に応じて第１ピン４７を当接させるように傾斜した戻しカム面５１，５２を有して略三角形状に凹んで形成され、両戻しばね４６…は、谷部５０の両側でリターンプレート４５およびスイッチケース２５間に設けられている。
【００４６】
このような弾発付勢手段３２によれば、一対の戻しばね４６…は、スイッチ操作子２６の中立位置では該スイッチ操作子２６の第１ピン４７をガイド凹部４８の谷部５０に当接させ、スイッチ操作子２６が左折または右折表示位置に揺動したときには前記谷部５０の両側の戻しカム面５１，５２の一方に当接した第１ピン４７を谷部５０に戻す側すなわちスイッチ操作子２６を中立位置側に戻す側に付勢するばね力を発揮し、スイッチ操作子２６を押し込み位置に押し込んだときには戻し位置側に付勢するばね力を発揮する。
【００４７】
而してリターンプレート４５および一対の戻しばね４６…は、スイッチ操作子２６に並列配置されるので、該スイッチ操作子２６の押し込み・戻り方向４９でのターンシグナルスイッチ２４全体の長さを短縮することができる。しかも一対の戻しばね４６…が、スイッチ操作子２６を中立位置側に戻すように両側からばね力を発揮するので、スイッチ操作子２６の操作時に該スイッチ操作子２６がふらつくことを抑え、操作フィーリングを高めることができる。
【００４８】
しかも弾発付勢手段３２およびスイッチ機構４４が、スイッチ操作子２６を相互間に挟んでスイッチケース２５内に配設されるので、スイッチ操作子２６の押し込み・戻り方向４９でのターンシグナルスイッチ２４全体の長さを短縮することができる。しかも弾発付勢手段３２およびスイッチ機構４４がスイッチ操作子２６のいずれの側に配置するかによってスイッチ操作子２６の位置を変化させることができ、スイッチ操作子２６の操作部である操作ノブ２７の上下方向での配置上の自由度を増大することができる。
【００４９】
また可動接点ホルダ３１に、少なくとも左折および右折表示回路のいずれもが開成状態にあるとき、すなわち少なくとも可動接点ホルダ３１が中立位置にあるときに可動接点ホルダ３１および固定接点ベース３０の対向面間を上方から覆うカバー部３１ａが一体に設けられるものであり、少なくとも左折および右折表示操作のいずれの操作も実行しない状態で、可動接点ホルダ３１および固定接点ベース３０の対向面間を上方から覆うことによって、可動接点ホルダ３１および固定接点ベース３０の対向面間に雨水等が上方から浸入することを防止することができる。
【００５０】
さらにスイッチ操作子２６には、該スイッチ操作子２６の一面から突出する第１ピン４７と、第１ピン４７よりも枢軸２９から離隔した位置でスイッチ操作子２６の他面から突出する第２ピン８８とが設けられ、弾発付勢手段が第１ピン４７に中立位置および戻し位置側に付勢する弾発力を付与するようにしてスイッチ操作子２６の一側に配置され、第１〜第５可動接点７３〜７７を有してスイッチ機構４４の一部を構成する可動接点ホルダ３１が、スイッチ操作子２６の揺動に応じてが中立位置ならびにその両側の左折表示位置および右折表示位置間でスライドするようにして第２ピン８８に連動、連結されるので、  可動接点ホルダ３１に連動、連結される第２ピン８８および枢軸２９間の距離を比較的大きくし、スイッチ操作子２６の揺動に伴う可動接点ホルダ３１のスライド量を比較的大きくしてスイッチ機構４４の接点間絶縁距離を充分に確保することができ、また枢軸２９との間の距離を比較的小さくした第１ピン４７に弾発付勢手段３２からの弾発付勢力を作用せしめるようにして、押し込み・戻り方向４９で弾発付勢手段３２に必要とされるスペースを小さくし、ターンシグナルスイッチ２４の小型化を図ることができるとともに操作荷重の設定の自由度を高めることができる。
【００５１】
以上、本発明の実施例を説明したが、本発明は上記実施例に限定されるものではなく、特許請求の範囲に記載された本発明を逸脱することなく種々の設計変更を行うことが可能である。
【００５２】
たとえば上記実施例ではスイッチ機構４４の可動接点ホルダ３１がスイッチ操作子２６とは別体に形成されていたが、スイッチ操作子と一体の可動接点ホルダを有するようにスイッチ機構を構成することも可能である。
【図面の簡単な説明】
【００５３】
【図１】自動二輪車の操向用バーハンドルの一部を後方から見た一部切欠き正面図である。
【図２】図１の２−２線拡大断面図である。
【図３】スイッチ操作子が中立位置にある状態での図１の３−３線拡大断面図である。
【図４】ターンシグナルスイッチの分解斜視図である。
【図５】図３の５−５線拡大断面図である。
【図６】図３の６−６線拡大断面図である。
【図７】図３の７−７線拡大断面図である。
【図８】図３の８−８線拡大断面図である。
【図９】スイッチ操作子を右折表示位置に操作したときの図６に対応した図である。
【図１０】スイッチ操作子を右折表示位置に操作したときの図７に対応した図である。
【図１１】右折表示位置に操作したあとでスイッチ操作子への操作力入力を止めた状態での図７に対応した図である。
【図１２】スイッチ操作子を押し込み位置に押し込んだ状態での図７に対応した図である。
【符号の説明】
【００５４】
２５・・・スイッチケース
２６・・・スイッチ操作子
２９・・・枢軸
３０・・・固定接点ベース
３１・・・可動接点ホルダ
３１ａ・・・カバー部
３２・・・弾発付勢手段
４４・・・スイッチ機構
４５・・・リターンプレート
４６・・・戻しばね
４７・・・第１ピン
４８・・・ガイド凹部
５０・・・谷部
５１，５２・・・戻しカム面
６５〜７０・・・固定接点
７３〜７７・・・可動接点
８８・・・第２ピン
【図１】
2007324051.tif 000003
【図２】
2007324051.tif 000004
【図３】
2007324051.tif 000005
【図４】
2007324051.tif 000006
【図５】
2007324051.tif 000007
【図６】
2007324051.tif 000008
【図７】
2007324051.tif 000009
【図８】
2007324051.tif 000010
【図９】
2007324051.tif 000011
【図１０】
2007324051.tif 000012
【図１１】
2007324051.tif 000013
【図１２】
2007324051.tif 000014